(57)【要約】      （修正有）【課題】獣害による時間の浪費ゴミ散乱は地域の課題であり、ゴミネットを掛けた状態でもカラスなどはネットを剥がして荒らすためゴミ散乱に繋がるので、簡易な手続きによって、収集業務も妨げることなく簡易な操作で取り扱いの出来る折り畳みネットを提供する。【解決手段】収納式で省スペースの壁掛け式ネットとし、敷板１１（ゴム製）の接地面に下型フレームが載り内蔵のマグネットとの吸着で開閉を手動で行うマグネットを利用して固定する開閉構造とする。【選択図】図５
2017186159.tif 000002
【特許請求の範囲】
【請求項１】
この扇形筋交いは、梁と筋交いの  ２役を果たし  扇形形状の高張力鋼線、又は硬質プラスチック素材からなる  線芯  円筒形又はＩ型であり  網  覆いなどを、その扇形形状の  軌道によって支える収納が可能な支持梁。
【請求項２】
この扇形筋交いは、並列に揃えられＹ字型継ぎ手によって  繋がれ波動し伸縮する、扇形筋交いの両端が平行する線分をなぞり、その線分をコンパスで跨ぐ様に距離を捕らえて動作する支持張り。
【請求項３】
この扇形筋交いは、Ｙ字型継ぎ手によって繋がり  半円状の連続形態を形成した  蒲鉾型形状となり、樹脂製の覆い  又は、網などを支え空間支持する収納が可能な支持梁。
【請求項４】
請求項３記載の（半円状の連続形態を形成した蒲鉾型形状）は末端の  ２点での集中結束とすれば  半球状を形成し  フレームと結合するとドーム型の両開きテントを作る支持梁。
【請求項５】
請求項３記載の（半円状の連続形態を形成した蒲鉾型形状）は扇形筋交いの上部に架かる  樹脂性覆い又は網によって、筋交いの軌道を拘束することで距離を決めて  可動域が制限され自重と  しなりで直立する支持梁。
【請求項６】
この扇形下型フレームは３箇所分断され下面方向へ、切り込む様に加工されており  下降方向だけ曲がる勾配対応型フレーム。
【請求項７】
請求項４記載（半球状ドーム型  ）の固定手段として敷板内臓の鉄板と下部フレーム内臓の磁石により接地面との固定を計り、風雨による不測の事態へ備えた、鉄板内蔵の敷板。
【請求項８】
このＹ字型継ぎ手はＹ字の集束点より頂点に向けて開放してあり集約される２本のブレスが動く様に作られており、その為摩擦に  よって負荷をかけて急激な力が１点に集中しない様作られた  衝撃吸収継ぎ手。
【発明の詳細な説明】
【技術分野】
【０００１】本発明はゴミ集積所での収納式ネットに関する物である。
【背景技術】
【０００２】巻き番線がバラバラ落下するのを見て金属加工の製品で伸縮収納するものを考えましたが、金属単体の物ではなく硬質プラスチック  ゴム等を使用した複合製品であります  重量のある金属材を風雨の対策とし、耐侵食性を考え開閉する部材を軽量材とし、安定性を目指しました。
【発明が解決しようとする課題】
【０００３】獣害によるゴミ集積所でのゴミの散乱は地域の課題であり一部の住民の労力によって補われており、ゴミネットを掛けた状態でもカラスなどはネットを剥がして荒らすためゴミ散乱に繋がり、住民は時間と手間を強いられている。
どのくらいの手間が懸かっているか，「ネットを剥がすゴミを置いて、その他のゴミと一緒にネットに繰るんで端が被っているか確認しながら重石をおく」一家庭が週４回はこの作業を繰り返している、集積場所に置いているゴミの数だけ在り見渡すだけでも膨大な時間が係っている、簡易な手続きによって、収集業務も妨げることなく簡易な操作で取り扱いの出来る折り畳みネットを作りたいと思いました。
【課題を解決するための手段】
【０００４】収納式で省スペースの壁掛け式ネットを考える事にした、扇形のフレームと扇形のフレームの間をネットで繋いで湾曲型のブレスで、ネットの下を受けるよう設計  湾曲型のブレスの軌道をネットの面積で捉えるので引き出せばネットを張り、収納するとネットをたたむ  道路事情も配慮すれば  収納式にするほうが安全であり片手による操作で確実に開閉する事が必要である、ネットをはがしまたネットを架けてはみ出ていないか確認して重石を置くこの手間を疑問に感じ一連の動作で簡素化できると労力を省くことだけでなく時間の節約になれば、経済的にも生活のゆとりの面でも確実に効果が出ると考えました。
【発明の効果】
【０００５】片手でのゴミだしを実現出来たので生活の効率も上がっていると思う、接地面も隙間なく動物避けにも効果あり、今まで掛かっていたゴミの散乱後の片付けに時間を取られる事なく、一番の効果は片手によって開閉可能となり子供を抱え手荷物と一緒にゴミだし出来てそのまま外出が出来る
【図面の簡単な説明】
【０００６】
【図１】下フレームとフレームに固定されている３段開度の湾曲ブレス（拡大図Ａ参照）と上フレームのブレスの軌道との接点、ブレスの頂点に繋がるブレスのＣ継ぎ目拡大図，図３Ｃ
【図２】上フレームに繋がる湾曲ブレスとその軌道上を覆うネットそのネットの裾に固定されるＹ字型継ぎ手（拡大図Ｂ参照）
【図３】固定のブレスと直線に伸びるブレスの継ぎ目  Ｃ継ぎ目図。網又は覆いとブレスを拘束するＤ結束部。
【図４】下フレームと上フレームの全体図とネットを支持するブレスの位置関係を表した図。
【図５】下フレームのマグネットを固定する鉄板内臓の敷板。
【図６】勾配対応下型フレームのジョイント図。
【発明を実施するための形態】
【０００７】以下、本発明の形態について図面を参照しつつ説明を行います
・  図５（１１）の敷板（ゴム製）の接地面に図１（１２）下型フレームが載り内蔵のマグネットとの吸着で開閉を手動で行います、一般路面では道路端は勾配していますので  図５記載  敷板内部の通り敷板は曲がり路面に接地します、その敷板の上面を勾配対応下型フレームが開閉することになります  勾配可動域を図６とします。
・  図４記載で示した（上型フレーム  １３）はアンカーボルトで固定して上型フレームは動きません  下フレームに繋がるブレスの直線軌道を支える支柱になります、この上型フレームに図２（１４）湾曲ブレスがネットと共に取り付けられ伸縮することになりこのブレスと図１固定ブレスの頂点でＣ継ぎ目によって繋がります。
・  ブレスの軌道を拘束するのはネット又は覆いの面積でありその結束部を図３Ｄとしてます。
・  よって湾曲ブレスとネットが一方の下型フレームと合体になり、フレーム  ネット  ブレスが  一体となって開閉時には折りたためる事になります。
・  ブレス、ネットのフレームへの取り付けは、インシュロックにて穴を通し、ブレスを巻いてフレームの穴へフレームの後ろで、図７（１７）留めがね  にて固定することになります。
【産業上の利用可能性】
【０００８】請求項５記載しました（半円状の連続形態を形成した蒲鉾型形状）が伸縮型屋根になることを記しましたが基礎の浅い排水設備を備えた箇所（屋根の雨どいを駆動部の下へ設ける）  で使用すれば、  汚染土などの簡易仮置きになる事も考えられる  小型飛行機（セスナ・ヘリ）の簡易格納も考えるところです
【符号の説明】
【０００９】図１  １２    下型フレーム
図２  １４    湾曲ブレス
図４  １３    上型フレーム
図４  １５    ネット
図５  １１    敷板内部構造
図１  −Ａ    固定ブレス集合部拡大図
図２  −Ｂ    Ｙ字型継ぎ手裾押さえ拡大図
図３  −Ｃ    ブレス継ぎ目拡大図
図３  −Ｄ    ブレスの結束部拡大図
【図１】
2017186159.tif 000003
【図２】
2017186159.tif 000004
【図３】
2017186159.tif 000005
【図４】
2017186159.tif 000006
【図５】
2017186159.tif 000007
【図６】
2017186159.tif 000008
【図７】
2017186159.tif 000009
【手続補正書】
【提出日】平成28年7月22日(2016.7.22)
【手続補正２】
【補正対象書類名】明細書
【補正対象項目名】０００６
【補正方法】変更
【補正の内容】
【０００６】
【図１】  下フレームとフレームに固定されている３段開度の湾曲ブレス（拡大図Ａ参照）と上フレームのブレスの軌道との接点、ブレスの頂天に繋がるブレスのＣ継ぎ目（別図）
【図２】  上フレームに繋がる湾曲ブレスとその軌道上を覆うネット、そのネットに固定されるＹ字型継ぎ手（拡大図Ｂ参照）
【図３】  上フレームのブレスと下フレームのブレスの継ぎ目Ｃ継ぎ目図。網又は覆いとブレスを拘束するＤ結束部。
【図４】  上フレームの直進するブレス軌道を省いた下フレーム固定ブレスとネットの取り付け全体図。
【図５】  下フレームのマグネットを固定する鉄板内臓の敷板。
【図６】  勾配対応下型フレームのジョイント図。
【図７】  上型フレーム裏の湾曲ブレス固定、留め金図。